(57)【要約】【課題】入浴者が正常な状態ではない場合に、そのことを浴室外に確実に報知できる浴室監視装置を提供する。【解決手段】入浴者の身体的な活動状態を検出するセンサ３と、入浴者の身体的な活動状態が異常状態にあることを検出したときに浴室外に警報を発する少なくとも１つの警報手段５を備え、警報後入浴者が正常状態にあることを検出するか又は警報解除手段が操作されたときに警報を解除する浴室監視装置であって、警報を開始してから警報が解除されずに経過した時間に応じて、警報の音量、警報の表示、警報の内容などを変化させたり、警報を発する警報手段５を切り替えて様々な場所で警報を発したり、警報を発する警報手段５の数自体を増加させるなど警報の出力を制御する警報制御手段２８を設ける。また、警報を開始してから所定時間内に警報が解除されないときに、屋外の所定の連絡先に通報する通報手段６を設ける。【選択図】図１
2004206290.tif 000002
【特許請求の範囲】
【請求項１】
入浴者の身体的な活動状態を検出するセンサと、入浴者の身体的な活動状態が異常状態にあることを検出したときに浴室外に警報を発する警報手段とを備え、警報後入浴者が正常状態にあることを検出するか又は警報解除手段が操作されたときに警報を解除する浴室監視装置であって、
警報を開始してから警報が解除されずに経過した時間に応じて、警報の内容を変化させる警報制御手段を設けたことを特徴とする浴室監視装置。
【請求項２】
浴室内にハンズフリー機能を有する浴室内インターホンを設け、
前記警報制御手段は、前記警報手段により警報を開始してから警報が解除されずに第１の時間が経過したときに、浴室内インターホンを作動させ前記警報手段から浴室内の音を出力させることを特徴とする請求項１に記載の浴室監視装置。
【請求項３】
入浴者の身体的な活動状態を検出するセンサと、入浴者の身体的な活動状態が異常状態にあることを検出したときに浴室外に警報を発する複数の警報手段とを備え、警報後入浴者が正常状態にあることを検出するか又は警報解除手段が操作されたときに警報を解除する浴室監視装置であって、
警報手段を選択し、選択した警報手段に警報を開始させ、警報を開始してから警報が解除されずに経過した時間に応じて、警報を発する警報手段の数を増加させるか又は警報を発する警報手段を切り替える警報制御手段を設けたことを特徴とする浴室監視装置。
【請求項４】
入浴者が異常状態にあることを検出した時刻を検出する時刻検出手段を設け、前記警報制御手段は、前記時刻検出手段が検出した時刻に応じて警報手段を所定の優先順位で選択して、警報を発する警報手段の数を増加させるか又は警報を発する警報手段を切り替えることを特徴とする請求項３に記載の浴室監視装置。
【請求項５】
入浴者の身体的な活動状態を検出するセンサと、入浴者の身体的な活動状態が異常状態にあることを検出したときに浴室外に警報を発する警報手段とを備え、警報後入浴者が正常状態にあることを検出するか又は警報解除手段が操作されたときに警報を解除する浴室監視装置であって、
屋内に設けられ前記警報手段の他に音声を出力するかまたは運転音を発する電気機器と該電気機器の電源との間に介挿され、該電気機器と電源とを接続／分離するスイッチと、
警報手段により警報を開始してから警報が解除されずに第２の時間が経過したときに前記スイッチにより前記電気機器と電源とを分離する警報制御手段とを設けたことを特徴とする浴室監視装置。
【請求項６】
入浴者の身体的な活動状態を検出するセンサと、入浴者の身体的な活動状態が異常状態にあることを検出したときに浴室外に警報を発する警報手段とを備え、警報後入浴者が正常状態にあることを検出するか又は警報解除手段が操作されたときに警報を解除する浴室監視装置であって、
浴室内に設置され、ハンズフリー機能を有する送話器と受話器を備える浴室リモコンと、
浴室リモコンと屋外の所定の連絡先との間で通信を行う通信手段と、
警報手段により警報を開始してから警報が解除されずに第３の時間が経過したときに、浴室リモコンを前記通信手段により前記連絡先と通話できる状態にさせる警報制御手段とを設けたことを特徴とする浴室監視装置。
【請求項７】
警報手段が警報を開始してから所定時間内に警報が解除されないときに、屋外の所定の連絡先に通報する通報手段を設けたことを特徴とする請求項１乃至請求項６のうちのいずれか１項に記載の浴室監視装置。
【請求項８】
入浴者のいる住宅の玄関の施錠を管理する施錠管理手段と、
前記通報手段により屋外の所定の連絡先に通報してから第４の時間が経過したときに、前記施錠管理手段により玄関の施錠を解除させる施錠制御手段とを設けたことを特徴とする請求項７に記載の浴室監視装置。
【請求項９】
警報を開始してから経過した時間を表示するタイマを浴室外に設けたことを特徴とする請求項１乃至請求項８のうちのいずれか１項に記載の浴室監視装置。
【発明の詳細な説明】
【０００１】
【発明の属する技術分野】
本発明は、入浴者の異常を検出したときに浴室外に警報を発する浴室監視装置に関する。
【０００２】
【従来の技術】
浴室での入浴者の異常を検出するために、画像処理や赤外線検知により人体を検出する人体センサを設けて、浴室内の入浴者の動きを監視する装置が知られている。従来の浴室監視装置は、人体センサにより浴室内を監視し、一定時間継続して入浴者の動きがなかった場合には、入浴者が寝ているかまたは倒れたと判断し、まず浴室用リモコンで警報音あるいは音声により注意を喚起し、入浴者の動きが所定時間無い場合には、台所用リモコンで警報音あるいは音声により異常が生じたことを家人に報知する（例えば、特許文献１参照）。
【０００３】
【特許文献１】
特開２００２−１５０４４７号公報  （第３頁、第１図）
【０００４】
【発明が解決しようとする課題】
しかしながら、上記特許文献１に開示された浴室監視装置は、台所用リモコンから警報が発せられたときに、家人が警報に気付きにくく、また、警報に気付かなかったときにそれに対処する方法がないという不具合がある。
【０００５】
本発明はかかる背景に鑑み、入浴者が正常な状態ではない場合に、そのことを浴室外に確実に報知することができる浴室監視装置を提供することを目的とする。
【０００６】
【課題を解決するための手段】
前記の目的を達成するために、本発明の浴室監視装置の第１の態様は、入浴者の身体的な活動状態を検出するセンサと、入浴者の身体的な活動状態が異常状態にあることを検出したときに浴室外に警報を発する警報手段とを備え、警報後入浴者が正常状態にあることを検出するか又は警報解除手段が操作されたときに警報を解除する浴室監視装置であって、警報を開始してから警報が解除されずに経過した時間に応じて、警報の内容を変化させる警報制御手段を設けたことを特徴とする。
【０００７】
かかる本発明によれば、警報制御手段は、警報開始後、警報が解除されずに経過した時間に応じて警報の内容を変化させる。警報の内容の変化のさせ方は、例えば警報の音量を上げたり、警報の種類を変化させるようにする。例えば当初はアナウンスによる警報を発し、その後ブザー音を出力させるなどしてもよい。従って、警報の音量や種類の変化により、浴室外にいる家人は他事に集中しているときでも警報に気付き易くなる。なお、警報の種類は音に限らず、光などの表示によるものでもよく、時間と共に光量や点滅周期を変化させてもよい。
【０００８】
また、本発明の第１の態様の浴室監視装置は、浴室内にハンズフリー機能を有する浴室内インターホンを設け、前記警報制御手段は、前記警報手段により警報を開始してから警報が解除されずに第１の時間が経過したときに、浴室内インターホンを作動させ前記警報手段から浴室内の音を出力させるように構成してもよい。
【０００９】
かかる本発明によれば、警報手段は警報として警告音や、浴室内の音を浴室内インターホンにより浴室外に出力する。そして、警告音を出力し始めてから、警報が解除されずに第１の時間が経過したときに、警報制御手段は、浴室内インターホンを作動させ警報手段から警報として浴室内の音を出力させる。尚、警告音の音量や種類を時間と共に変化させるようにしてもよい。この場合には家人が警報に一層気付き易くなる。また、たとえ家人が警告音に気付かずにいたとしても、本発明の警報手段は、第１の時間が経過したときに浴室外インターホンとして機能し、浴室内インターホンに入力する浴室内の音声を出力することができる。従って、警報の変化により家人は警報に気付きやすくなる。このとき入浴者が話しをすることができる状態であれば、入浴者は肉声で浴室外に異常の内容を詳細に報知することができる。尚、前記警報の種類は音に限らず、光などの表示によるものでも、音と光を組み合わせたものでもよい。
【００１０】
また、前記の目的を達成するために、本発明の浴室監視装置の第２の態様は、入浴者の身体的な活動状態を検出するセンサと、入浴者の身体的な活動状態が異常状態にあることを検出したときに浴室外に警報を発する複数の警報手段とを備え、警報後入浴者が正常状態にあることを検出するか又は警報解除手段が操作されたときに警報を解除する浴室監視装置であって、警報手段を選択し、選択した警報手段に警報を開始させ、警報が解除されずに警報を開始してから経過した時間に応じて、警報を発する警報手段の数を増加させるか又は警報を発する警報手段を切り替える警報制御手段を設けたことを特徴とする。
【００１１】
かかる本発明によれば、警報手段は、台所、居間、寝室など複数箇所に設置される。警報制御手段は、例えば、台所で警報を開始し、家人がこれに気付かなければ、居間でも警報を開始し、それでも家人が警報に気付かなければ寝室でも警報を開始する。あるいは、警報制御手段は、台所に設置された警報手段により一定時間警報を発した後、次に居間に設置された警報手段により警報を発するというように、警報を発している警報手段を次々と切り替える。このように警報を発する場所の数を時間の経過と共に増加させたり、警報が鳴っている場所が変わることにより、家人が住宅の中のどこにいても警報に気付き易くなる。そして、警報に気付いた家人は警報解除手段により警報を解除すると共に、入浴者の安否を確認できる。尚、警報手段が時間の経過により警報を発する場所の数を増加させたり、警報が鳴っている場所を変えると共に、それぞれの場所で警報の内容を変化させるようにすれば、警報を家人がより一層気づき易くなり安全性を高めることができる。
【００１２】
また、本発明の第２の態様の浴室監視装置は、入浴者が異常状態にあることを検出した時刻を検出する時刻検出手段を設け、前記警報制御手段は、前記時刻検出手段が検出した時刻に応じて警報手段を所定の優先順位で選択して、警報を発する警報手段の数を増加させるか又は警報を発する警報手段を切り替えることが好ましい。
【００１３】
本願発明者の得た知見によれば、家人の最も在室する可能性のある部屋は一日の生活時間帯によって異なる。かかる本発明によれば、時刻検出手段が検出した時刻が昼間であれば、警報制御手段は、例えば、初めは台所で警報を開始し、居間、寝室の順に警報を開始する。また、時刻検出手段が検出した時刻が夜間であれば、警報制御手段は、先ず寝室で警報を開始する。従って、家人のいる可能性のある部屋から順に警報を発するので、入浴者の救出を迅速に行うことができる。
【００１４】
また、前記の目的を達成するために、本発明の浴室監視装置の第３の態様は、入浴者の身体的な活動状態を検出するセンサと、入浴者の身体的な活動状態が異常状態にあることを検出したときに浴室外に警報を発する警報手段とを備え、警報後入浴者が正常状態にあることを検出するか又は警報解除手段が操作されたときに警報を解除する浴室監視装置であって、屋内に設けられ前記警報手段の他に音声を出力するかまたは運転音を発する電気機器と該電気機器の電源との間に介挿され、該電気機器と電源とを接続／分離するスイッチと、警報手段により警報を開始してから警報が解除されずに第２の時間が経過したときに前記スイッチにより前記電気機器と電源とを分離する警報制御手段とを設けたことを特徴とする。
【００１５】
かかる本発明によれば、住宅内で音声や運転音を出すテレビ、ステレオ、換気扇などの電気機器は、すべてスイッチを介して商用電源に接続される。そして、警報制御手段は、警報を開始してから警報が解除されずに、例えば１０秒間などの第２の時間が経過したときに、商用電源に接続されたスイッチを切る。このとき、テレビ音声や換気扇の運転音などの騒音が消滅するので、警報が聞き取り易くなる。尚、時間と共に警報の音量や種類を変化させるようにしてもよい。この場合には家人が警報に一層気付き易くなる。
【００１６】
また、前記の目的を達成するために、本発明の浴室監視装置の第４の態様は、入浴者の身体的な活動状態を検出するセンサと、入浴者の身体的な活動状態が異常状態にあることを検出したときに浴室外に警報を発する警報手段とを備え、警報後入浴者が正常状態にあることを検出するか又は警報解除手段が操作されたときに警報を解除する浴室監視装置であって、浴室内に設置され、ハンズフリー機能を有する送話器と受話器を備える浴室リモコンと、浴室リモコンと屋外の所定の連絡先との間で通信を行う通信手段と、警報手段により警報を開始してから警報が解除されずに第３の時間が経過したときに、浴室リモコンを前記通信手段により前記連絡先と通話できる状態にさせる警報制御手段とを設けたことを特徴とする。
【００１７】
かかる本発明によれば、警報手段が警報を開始してから警報が解除されずに第３の時間が経過したときに、警報制御手段は浴室リモコンをハンズフリー状態で通信手段により警備会社などの屋外の所定の連絡先と通話できる状態にさせる。尚、警報の音量や種類を時間と共に変化させるようにしてもよい。この場合には家人が警報に一層気付き易くなる。また、たとえ家人が警報に気付かずにいたとしても、第３の時間が経過したときに浴室リモコンと屋外の所定の連絡先とが通話可能な状態となる。従って、入浴者が話しをすることができる状態であれば、入浴者の肉声で所定の連絡先に異常の内容を詳細に報知することができる。また、所定の連絡先の当事者が入浴者に声をかけたり、入浴者の様子を知ることもできる。また、たとえ入浴者が話しをすることができない状態だとしても、屋外の所定の連絡先が発信者を特定できるようにしておけば異常を確実に報知できる。そのため安全性が向上する。
【００１８】
また、本発明の浴室監視装置の第１乃至第４の態様は、警報手段が警報を開始してから所定時間内に警報が解除されないときに、屋外の所定の連絡先に通報する通報手段を設けるようにしてもよい。
【００１９】
家人等が警報に気付かないか留守の場合には、警報を開始してから所定時間内に警報が解除されないことになる。このような場合、かかる本発明によれば、警報開始後、所定時間が経過したときに通報手段により、例えば警備会社、隣人、家人の携帯電話などの所定の連絡先に異常を伝えるメッセージが通報される。なお、本発明の第１の態様では第１の時間より長い所定時間後に、本発明の第３の態様では第２の時間より長い所定時間後に、本発明の第４の態様では第３の時間より長い所定時間後にそれぞれ所定の連絡先に通報される。従って、入浴者が正常な状態ではない場合に、そのことを浴室外に確実に報知することができる。
【００２０】
また、本発明の浴室監視装置の第１乃至第４の態様は、入浴者のいる住宅の玄関の施錠を管理する施錠管理手段と、前記通報手段により屋外の所定の連絡先に通報してから第４の時間が経過したときに、前記施錠管理手段により玄関の施錠を解除させる施錠制御手段とを設けるようにしてもよい。
【００２１】
かかる本発明によれば、施錠制御手段は、前記通報手段が所定の連絡先に通報後に第４の時間が経過したときに、玄関の施錠を解除する。第４の時間は、例えば警備会社の担当者、救急車、隣人などが通報を聞いてから救援に駆けつけるまでに要する標準的な時間に設定される。上記構成によれば外部の人がすばやく入室できるので入浴者を救出し易くなる。
【００２２】
また、本発明の浴室監視装置の第１乃至第４の態様では、警報を開始してから経過した時間を計時するタイマを浴室外に設けるようにしてもよい。かかる本発明によれば、警報に気が付いた家人や駆けつけた人が、警報が開始してからの正確な時間をタイマにより知見でき、適切な対処をすることができる。
【００２３】
【発明の実施の形態】
（第１の実施形態）本発明の第１の実施形態を図１〜図３を参照して説明する。図１は本発明の第１の実施形態の浴室監視装置の構成図である。図１を参照して、浴室監視装置１は、コントロールユニット２と、該コントロールユニット２に信号線でそれぞれ接続された動きセンサ３と、浴室ユニット４と、３つの浴室外ユニット５ａ、５ｂ、５ｃと、セキュリティーユニット６を備える。
【００２４】
コントロールユニット２は、後述するように、浴室を監視して異常を検知した場合に浴室内外に警報を発する処理を行う。動きセンサ３は、本発明のセンサに相当し、例えば、ＣＣＤカメラ、人工網膜ＬＳＩなどが利用され、時間の異なる２つの画像の差分をとることで入浴者の動きを検出する撮像装置から構成され、浴室の壁面上部に配設される。なお、赤外線センサや浴室の床に設置された重量センサにより入浴者の動きを検出するようにしてもよい。
【００２５】
浴室ユニット４は、異常検知時に警報を出力するスピーカ７を備えている。浴室外ユニット５ａ、５ｂ、５ｃは、本発明の警報手段の機能を含み、それぞれ警報として警告音（音声アナウンスおよびブザー音）を出力するためのスピーカ８ａ〜８ｃと、警報を表示するための表示ランプ９ａ〜９ｃと、本発明の警報解除手段として不図示の警報解除スイッチとを備えている。そして、浴室外ユニット５ａ、５ｂ、５ｃは、それぞれ、台所、居間、寝室の適宜の壁面に配設されている。
【００２６】
セキュリティーユニット６は、図２に示すように、ＮＴＴなどの通信事業者の回線網１０と、ドア１１に鍵をかけることができるオートロック機構等による施錠管理手段１２とに接続されている。また、セキュリティーユニット６には、施錠管理手段１２に対して指示信号を発信する施錠制御手段１３と、自動発呼手段１４と、メッセージ記憶手段１５が備えられている。また、回線網１０は、ユーザとホームセキュリティーに関する委託契約をしている警備会社の監視システム１６と、消防署の端末１７とに接続されている。
【００２７】
コントロールユニット２は、図３に示すように、Ｉ／Ｏユニット２１と、記憶装置２２と、制御装置２３を備える。記憶装置２２は、ＲＯＭ、ＲＡＭ、ＥＥＰＲＯＭ等により構成され、主記憶部２４と、音声記憶部２５とを備える。主記憶部２４は、各種データや、後述する制御装置２３が行う処理に必要なプログラム等を記憶保持する。音声記憶部２５は、浴室外に報知される音声又は音楽を記憶する。
【００２８】
制御装置２３は、マイクロプロセッサ等により構成され、機能的に、音声登録部２６と、異常検知制御部２７と、警報制御部２８とを備える。音声登録部２６は、警報として浴室外に報知される音声又は音楽を音声記憶部２５に登録する。異常検知制御部２７は、動きセンサ３の出力データに基づいて入浴者の動きが停止したか否かを判別する。そして、入浴者の動きが停止したと判別したときに所定時間Ｔ１（例えば、１０分間）の計時を開始し、所定時間Ｔ１の計時が終了したときに異常を検知する。
【００２９】
警報制御部２８は、本発明の警報制御手段に相当し、異常検知制御部２７が異常を検知したときに、浴室ユニット４のスピーカ７から浴室内に安否確認警報を発し、その後、浴室外ユニット５ａ、５ｂ、５ｃのスピーカ８ａ〜８ｃと表示ランプ９ａ〜９ｃを通じて浴室外に家内報知警報（本発明の警報に相当する）を報知するための処理を行う。警報制御部２８は、浴室外に家内報知警報を出力し始めてから経過した時間に応じて、（１）スピーカ８ａ〜８ｃから出力される音声の音量を増大させる処理、（２）表示ランプ９ａ〜９ｃの点滅する周期を短くする処理、（３）家内報知警報の音声内容を変更する処理、（４）浴室外ユニット５ａ、５ｂ、５ｃの動作順序を制御する処理を行う。
【００３０】
次に、第１の実施形態の浴室監視装置１の具体的な動作を説明する。予めコントロールユニット２の音声登録部２６の制御の下、家内報知警報として浴室外に報知される音声又は音楽がユーザにより音声記憶部２５に登録される。
【００３１】
入浴者が浴室に入室すると、動きセンサ３は入浴者の動きを検知する動作を始める。動きセンサ３は動作を開始すると、所定期間内に捉えた２枚の画像の変化を示すデータをコントロールユニット２に出力し続ける。
【００３２】
制御装置２３の異常検知制御部２７は、動きセンサ３の出力データに基づいて入浴者の動きが停止したか否かを判別する。そして、入浴者の動きが停止したときに、所定時間Ｔ１（例えば、１０分間）の計時が開始される。計時中に入浴者が動くと、動きセンサ３は入浴者の動きを検出し、所定時間Ｔ１の計時がキャンセルされる。一方、入浴者が動かずにいると、入浴者が動きを停止してから所定時間Ｔ１後に異常が検知されて、警報制御部２８は浴室ユニット４のスピーカ７から安否確認警報を出力する処理を行う。入浴者の動きが停止したままの状態のときに、例えば「動いてみて下さい」というような音声アナウンスによる安否確認警報を所定回数（例えば３回）繰り返した後、警報制御部２８は、浴室外ユニット５ａ、５ｂ、５ｃを制御する処理を行う。
【００３３】
まず、台所に配設された浴室外ユニット５ａのスピーカ８ａから家内報知警報（以下、単に警報と呼ぶ）が発せられ、表示ランプ８が点滅する。警報は、当初、音声記憶部２５に登録されたユーザの好みの音楽に設定されている。あるいは、例えば「浴室を見に行ってください。」という音声アナウンスに設定されていてもよい。
【００３４】
警報制御部２８は、警報を出力し始めてから例えば３０秒経過するまでに、スピーカ８ａから出力される音楽（又は音声アナウンス）の音量をある上限値まで徐々に増大させる。音楽（又は音声アナウンス）の音量が上限値に達すると、警報制御部２８は、警報の音声内容をブザー音に変更すると共に、表示ランプ９ａが点滅する周期を例えば半分にする。
【００３５】
台所に配設された浴室外ユニット５ａから警報が報知されている間に、家人が警報に気付いたときには、家人は浴室外ユニット５ａの警報解除スイッチを操作して警報を解除し、浴室に行って入浴者の安否を確認することができる。一方、浴室外ユニット５ａの警報解除スイッチが操作されずに、浴室外ユニット５ａが警報を例えば１分間報知したときには、居間に配設された浴室外ユニット５ｂのスピーカ８ｂから警報が発せられて表示ランプ９ｂが点滅する。浴室外ユニット５ｂは、警報制御部２８の制御の下、台所に配設された浴室外ユニット５ａと同様に動作する。そして、浴室外ユニット５ｂの警報解除スイッチが操作されずに、浴室外ユニット５ｂが警報を例えば１分間報知したときには、寝室に配設された浴室外ユニット５ｃのスピーカ８ｃから警報が発せられると共に、表示ランプ９ｃが点滅する。浴室外ユニット５ｃは、警報制御部２８の制御の下、台所に配設された浴室外ユニット５ａと同様に動作する。尚、上述のように時間と共に警報を発する浴室外ユニットの数が増加する代わりに、時間と共に警報を発する浴室外ユニットが切り替わり警報が発せられている場所が変化していくように構成してもよい。
【００３６】
そして、入浴者の動き（正常状態）が検出されず、且つ、浴室外ユニット５ａ、５ｂ、５ｃの警報解除スイッチが操作されずに、警報が開始されてから所定時間（例えば３分間）が経過したときに、警報制御部２８は、セキュリティーユニット６に制御信号を供給する。セキュリティーユニット６の自動発呼手段１４は、警報制御部２８からの制御信号に基づいて、メッセージ記憶手段１５に記憶されているメッセージを回線網１０を介して警備会社の監視システム１６に送信する。そして、通報を受けた警備会社の担当者がユーザの家に直行する。なお、監視システム１６が必要に応じて回線網１０を介して消防署の端末１７に通報すれば、救急車がユーザの家に急行する。
【００３７】
また、セキュリティーユニット６の施錠制御手段１３は、警備会社の監視システム１６にメッセージを送信してから所定時間（本発明の第４の時間に相当する：例えば３分間）経過後に、施錠管理手段１２に制御信号を供給する。施錠管理手段１２は供給された制御信号に応じて、家のドア１１を開錠する。従って、救援に駆けつけた外部のものが迅速に対応することができる。
【００３８】
本実施形態によれば、警報の音量が徐々に上がるため、家人が警報に気付き易い。なお、家人がいきなり大音量のブザー音に驚かされることもなくなる。また、表示ランプ９ａ〜９ｃは、警報が開始された当初は、相対的にゆっくり点滅し、時間の経過に従って徐々に早く点滅するようになるので、点滅の仕方の変化により家人が気付き易くなる。また、ユーザが警報として自分の所望する音声や音楽を設定できるので、このような警報が報知されたときに気付き易くなる。さらに、浴室外ユニット５ａ〜５ｃが異なる場所に配設されているので、家人が住宅の中のどこにいても警報を報知することができる。なお、浴室外ユニットの数を３つとして説明したがこれに限定されるものではない。また、表示ランプ９ａ〜９ｃは点滅するものとしたが、表示する光量を時間の経過に従って増大させるように構成してもよい。
【００３９】
また、本実施形態によれば、警備会社に自動的に電話がかけられ、救援メッセージが送信されるので、入浴者が正常な状態ではない場合に、たとえ家人が留守中であっても浴室外に確実に報知することができる。
【００４０】
本実施形態においては緊急通報先として警備会社に通報するものとしたが、隣家、家人の携帯電話、家人の勤務先などの所定の連絡先に電話がかけられ、救援メッセージが送信されるように構成してもよい。
【００４１】
尚、コントロールユニット２の異常検知制御部２７により入浴者が異常状態にあることを検出した時刻を検出する時刻検出手段を設けるようにしてもよい。この場合には、時刻検出手段が検出した時刻に応じて、その時刻が昼間であれば、上記実施例のように台所から警報を開始し、居間、寝室の順に警報を開始するようにする。また、時刻検出手段が検出した時刻が夜間であれば、寝室から警報を開始するなど家人のいる可能性のある部屋から順に警報を発するようにする。従って、入浴者の異常を家人に迅速に報知することが可能になる。
【００４２】
（第２の実施形態）本発明の浴室監視装置では、第１の実施形態の浴室ユニット４にハンズフリー機能を有するマイクロホンを設けて、浴室内の音声を浴室外ユニット５ａ〜５ｃのスピーカ８ａ〜８ｃから聞こえるように構成してもよい。この場合には、警報制御部２８は、警報を開始した当初は音声アナウンス又は音楽をスピーカ８ａ〜８ｃから出力するように制御し、警報の開始から所定の時間（本発明の第１の時間：例えば３分間）経過後に、警報の内容を変更して、変更した時点の浴室内の音声をスピーカ８ａ〜８ｃから出力させる。従って、警報の内容を変更したときに家人の注意を引くことができる。また、音声アナウンス（又は音楽）と、浴室内の音声をスピーカ８ａ〜８ｃから出力させる動作とを交互に繰り返し行うことにより、家人がさらに異常に気づき易くなるようにしてもよい。
【００４３】
（第３の実施形態）第３の実施形態の浴室監視装置３０は、図４に示すように、上記第１の実施形態の構成に加えてスイッチボックス３１（本発明のスイッチに相当する）が設けてある。そして、屋内のテレビ３２、ステレオ３３、換気扇３４などの電気機器の電源コードをスイッチボックス３１を介して商用電源３５に接続し、コントロールユニット２の警報制御部２８により、スイッチボックス３１のオン／オフを制御できる。この場合には、警報制御部２８は、警報を開始して所定の時間（本発明の第２の時間：例えば１０秒間）が経過後に、スイッチボックス３１をオフさせる。このとき、テレビ３２、ステレオ３３、換気扇３４などの電気機器は商用電源３５から分離されて動作を停止するので、警報の音声は、上述の電気機器による雑音に掻き消されることなく報知され、家人が警報に気づき易くなる。
【００４４】
（第４の実施形態）本発明の浴室監視装置は、第１の実施形態の浴室ユニット４にハンズフリー機能を有する送話器と受話器を設けて、浴室内から外部の所定の連絡先と通話ができるように構成してもよい。この場合には、警報制御部２８は、音声アナウンス又は音楽を所定の時間（本発明の第３の時間：例えば３分間）だけスピーカ８ａ〜８ｃから出力させる。そして、家人がこの警報に気付かなければ、自動発呼制御により入浴者が例えば警備会社のオペレータと通話できる状態にする。従って、入浴者が身体は動けないが話しをすることができる状態にあれば、警備会社に直接救援を求めることができる。
【００４５】
また、上記第１〜第４の実施形態の浴室監視装置では、浴室外ユニット５ａ〜５ｃに警報を開始してから経過した時間を計時するタイマを設けるようにしてもよい。また、タイマが計時した時間を音声により所定時間ごとにスピーカ８ａ〜８ｃから出力するようにしてもよい。この場合には、警報に気が付いた家人や駆けつけた隣人が、警報が発せられてからの正確な時間を知見することができ、適切な対処をすることができる。また、異常検知制御部２７が異常を検知してからの経過時間を計時して報知するようにしてもよい。この場合には、入浴者が寝たか倒れてからの時間を知ることができる。
【００４６】
また、本発明の浴室監視装置は、動きセンサの代わりに、入浴者の音声を検出する音センサや、浴槽内での入浴者の動きを検出する物理センサ、健康状態を検出するバイタルセンサなどを用いて構成してもよい。
【図面の簡単な説明】
【図１】第1の実施形態の浴室監視装置の構成図。
【図２】セキュリティーユニットの構成図。
【図３】コントロールユニットの構成図。
【図４】第３の実施形態の浴室監視装置の構成図。
【符号の説明】
１・・・浴室監視装置、２・・・コントロールユニット、３・・・動きセンサ、５ａ，５ｂ，５ｃ・・・浴室外ユニット、６・・・セキュリティーシステム、８ａ，８ｂ，８ｃ・・・スピーカ、９ａ，９ｂ，９ｃ・・・表示ランプ、２１・・・Ｉ／Ｏユニット、２２・・・記憶装置、２３・・・制御装置、２４・・・主記憶部、２５・・・音声記憶部、２６・・・音声登録部、２７・・・異常検知制御部、２８・・・警報制御部。
【図１】
2004206290.tif 000003
【図２】
2004206290.tif 000004
【図３】
2004206290.tif 000005
【図４】
2004206290.tif 000006